(57)【要約】【課題】項目表示の操作性を向上させたフィールド機器を実現する。【解決手段】内部パラメータの項目名を呼び出してその項目名に属する値の設定または詳細を表示部に表示するフィールド機器において、  前記項目名の全てを階層的にツリー構造化して保持する項目名データベースと、  前記項目名を短縮したキーワードの文字列を、スイッチ手段を介して入力する文字入力処理手段と、  入力されたキーワードを項目名に変換する項目名検索テーブル手段と、  前記項目名検索テーブル手段で変換された項目名基づいて前記項目名データベースにアクセスして表示項目名を抽出する表示項目名抽出手段と、  前記表示項目名抽出手段により抽出された項目名を、前記表示部に表示させる画面表示処理手段と、を備える。【選択図】図１
2012038146.tif 000002
【特許請求の範囲】
【請求項１】
内部パラメータの項目名を呼び出してその項目名に属する値の設定または詳細を表示部に表示するフィールド機器において、
前記項目名の全てを階層的にツリー構造化して保持する項目名データベースと、
前記項目名を短縮したキーワードの文字列を、スイッチ手段を介して入力する文字入力処理手段と、
入力されたキーワードを項目名に変換する項目名検索テーブル手段と、
前記項目名検索テーブル手段で変換された項目名基づいて前記項目名データベースにアクセスして表示項目名を抽出する表示項目名抽出手段と、
前記表示項目名抽出手段により抽出された項目名を、前記表示部に表示させる表示処理手段と、
を備えることを特徴とするフィールド機器。
【請求項２】
前記表示部に、キーワードの文字列の選択入力を支援する文字列を表示する、文字列表示手段を備えることを特徴とする請求項１に記載のフィールド機器。
【請求項３】
前記キーワードの入力履歴を保持し、前記項目名データベースに渡すヒストリーリスト手段を備えることを特徴とする請求項１または２に記載のフィールド機器。
【請求項４】
前記スイッチ手段は防爆筐体内に収納され、外部より赤外線により操作されることを特徴とする請求項１乃至３のいずれかに記載のフィールド機器。
【発明の詳細な説明】
【技術分野】
【０００１】
本発明は、内部パラメータの項目名を呼び出してその項目名に属する値の設定または詳細を表示部に表示するフィールド機器に関するものである。
【背景技術】
【０００２】
図３は、従来のフィールド機器が接続された制御システムの構成例を示す機能ブロック図である。爆発危険雰囲気のプラントに配置され、本質安全防爆（以下、本安）筐体に収納されたフィールド機器１０Ａ，１０Ｂ，…１０Ｎは、フィールドバス２０に接続されている。
【０００３】
これらフィールド機器は、フィールドバス２０を介して制御ステーション３０と通信してプロセスを制御する。更に、制御ステーション３０は、制御バス４０を介して操作・監視装置等の上位装置５０と通信し、分散形制御システムを形成している。
【０００４】
以下、フィールド機器１０Ａを代表としてその構成を説明する。フィールド機器は本安構造で設計されるために、機器内の消費電力をなるべく小さくする。そのため、表示部１１は、小型のＬＣＤ表示手段１２と赤外線スイッチ手段１３によって表示システムが構成されている。
【０００５】
ＬＣＤ表示手段１３には、内部パラメータの項目名を呼び出してその項目名に属する値の設定または詳細を表示する。限られたスペースで多くの情報を表示するため、表示項目メニューＭは、ツリー構造化されて情報が分類され、類似の項目が階層的にグループ化されている。
【０００６】
このメニューに基づく表示手順は、最初に上位の大項目が表示され、赤外線スイッチ手段１３による「▲または▼」の操作により所望の大項目を選択し、決定「SET」の赤外線スイッチを押下すると、次に、選択した大項目に属する中項目が表される。
【０００７】
同様に、赤外線スイッチ手段１３による「▲または▼」の繰り返し操作により所望の中項目を選び、最終的に所望の項目へ辿り着き、その項目に対して値の設定または詳細表示することができる。
【先行技術文献】
【特許文献】
【０００８】
【特許文献１】特開２００６−１３４０３１号公報
【発明の概要】
【発明が解決しようとする課題】
【０００９】
従来構成のフィールド機器のメニュー表示手法では、次のような問題がある。
（１）項目名の情報量又はツリー構造の階層が増えた場合に、所望の項目に到達するまでに時間が掛かる。
（２）頻繁に使用されている、又は最近作業項目にもかかわらず、毎回同じ手順で操作しなければならない。
【００１０】
本発明の目的は、項目表示の操作性を向上させたフィールド機器を実現することにある。
【課題を解決するための手段】
【００１１】
このような課題を達成するために、本発明は次の通りの構成になっている。
（１）内部パラメータの項目名を呼び出してその項目名に属する値の設定または詳細を表示部に表示するフィールド機器において、
前記項目名の全てを階層的にツリー構造化して保持する項目名データベースと、
前記項目名を短縮したキーワードの文字列を、スイッチ手段を介して入力する文字入力処理手段と、
入力されたキーワードを項目名に変換する項目名検索テーブル手段と、
前記項目名検索テーブル手段で変換された項目名基づいて前記項目名データベースにアクセスして表示項目名を抽出する表示項目名抽出手段と、
前記表示項目名抽出手段により抽出された項目名を、前記表示部に表示させる画面表示処理手段と、
を備えることを特徴とするフィールド機器。
【００１２】
(２)前記表示部に、キーワードの文字列の選択入力を支援する文字列を表示する、文字列表示手段を備えることを特徴とする（１）に記載のフィールド機器。
【００１３】
（３）前記キーワードの入力履歴を保持し、前記項目名データベースに渡すヒストリーリスト手段を備えることを特徴とする（１）または（２）に記載のフィールド機器。
【００１４】
（４）前記スイッチ手段は防爆筐体内に収納され、外部より赤外線により操作されることを特徴とする（１）乃至（３）のいずれかに記載のフィールド機器。
【発明の効果】
【００１５】
本発明によれば、次のような効果を期待することができる。
（１）所望の表示項目まで辿り着くまでの時間を短縮でき、操作性の向上させることができる。
（２）ツリー構造の階層に依存せず、全ての項目に対して赤外線スイッチ手段の操作回数をほぼ一定とすることができる。
【図面の簡単な説明】
【００１６】
【図１】本発明を適用したフィールド機器の一実施例を示す機能ブロック図である。
【図２】表示部の表示内容の変化を説明する遷移図である。
【図３】従来のフィールド機器が接続された制御システムの構成例を示す機能ブロック図である。
【発明を実施するための形態】
【００１７】
以下本発明を、図面を用いて詳細に説明する。図１は、本発明を適用したフィールド機器の一実施例を示す機能ブロック図である。図３で説明した従来構成と同一要素には同一符号を付して説明を省略する。
【００１８】
表示部１０に所望の項目名を表示させるメニュー表示処理部１００において、項目名データベース１０１は、ツリー構造のメニューＭを保持する。文字入力処理手段１０２は、赤外線スイッチ手段１３で選択されるキーワード文字を入力して文字列（例：MF）情報を生成する。
【００１９】
文字列表示手段１０３は、赤外線スイッチ手段１３によるキーワード文字列の入力を支援するための文字一覧をＬＣＤ表示手段１２に表示させる。ユーザは赤外線スイッチ手段１３による「▲または▼」の繰り返し操作により所望のキーワード文字列を入力することができる。
【００２０】
文字入力処理手段１０２で生成されたキーワード（MF）は、項目名検索テーブル手段１０４に渡され、このキーワードに対応する項目名（例：Mass Flow）に変換される。項目名検索テーブル手段１０４には、全ての項目名（例：Mass Flow）に対応して項目名の頭文字から決められたキーワード（例：MF）を予め作成しておき、テーブルに登録しておく。
【００２１】
表示項目抽出手段１０５は、項目名検索テーブル手段１０４で変換されたキーワード(例：Mass)に基づいて項目名データベース１０１にアクセスし、表示項目名（例：Mass Flow）を抽出する。
【００２２】
一つ以上の候補が存在した場合、アルファベット順に候補項目リスト（例：Mass Flow, Mass Flow%, Mass Flow URV）を抽出する。抽出された項目名または候補項目名は、表示処理手段１０６に渡されてＬＣＤ表示手段１２に表示される。
【００２３】
図２は、表示部１１の表示内容の変化を説明する遷移図である。図２（Ａ）は、キーワード入力の待機状態であり、検索用の入力行を表示して、ユーザによるのキーワード入力を待つ。
【００２４】
図２（Ｂ）は、文字列表示手段１０３によりＬＣＤ表示手段１２に表示されたアルファベット＆数字の文字一覧である。ユーザは、赤外線スイッチ手段１３による「▲または▼」の繰り返し操作により文字一覧から文字を選択し、所望のキーワード文字列を入力する。
【００２５】
図２（Ｃ）は、キーワードキーワード（MF）の入力に対して抽出されて表示された候補項目リスト（Mass Flow, Mass Flow%, Mass Flow URV）である。ユーザは、赤外線スイッチ手段１３による「▲または▼」の操作により、候補の１つ（例：Mass Flow）を選択する。
【００２６】
これ以降の表示部１１に対する画面の表示処理は従来と同一である。図２（Ｄ）は、選択された項目（Mass Flow）に属する現在のプロセス値（例：0006.00t/h）がＬＣＤ表示手段１３に表示される。
【００２７】
ヒストリーリスト保持手段１０７は、ユーザによるキーワード入力の履歴を保持し、項目名データベース１０１に登録する。表示項目名抽出手段１０５は、最近作業項目をすぐ取り出せるように検索対象としてヒストリーリスト内の項目を優先して検索してから項目名検索テーブル手段１０５によるキーワード検索を実行する。その結果、より操作性を向上させることができる。
【００２８】
入力キーワードによる項目名データベース１０１の検索時、検索方法は単なる文字列の比較に限らず、使用用途等に基づいて関連性のランキング率を予め作成しておき、その中で最も関連性が高い項目を見付け出し、候補項目リストを表示させる機能を備えることにより、より操作性を向上させることができる。
【符号の説明】
【００２９】
１０Ａ，１０Ｂ，…１０Ｎ  フィールド機器
１１  表示部
１２  ＬＣＤ表示手段
１３  赤外線スイッチ手段
１００  メニュー表示処理部
１０１  項目名データベース
１０２  文字入力処理手段
１０３  文字列表示手段
１０４  項目名検索テーブル
１０５  表示項目名抽出手段
１０６  表示処理手段
１０７  ヒストリーリスト保持手段
【図１】
2012038146.tif 000003
【図２】
2012038146.tif 000004
【図３】
2012038146.tif 000005